(57)【要約】【課題】高さが低く、使用しやすいマッサージ機を得る。【解決手段】モータ１８により回転駆動される歯車１０，１２をケース１に支持軸６，８を介して回転可能に支持すると共に、歯車１０，１２に偏芯カム１４，１６を一体的に形成する。また、ケース１に移動台２２，２４を支持軸６，８と直交方向に摺動可能に支持し、移動台２２，２４と偏芯カム１４，１６とを係合させ、移動台２２に指圧子５０，７０を設けた。指圧子５０，７０は移動台２２，２４に支持軸６，８と平行方向に摺動可能に支持されると共に、指圧子５０，７０を突出方向に付勢する付勢部材５６，７２を設けた。移動台２２，２４は、ケース１を挟んで摺動可能に支持された上下移動台２２ａ，２２ｂ，２４ａ，２４ｂを有し、指圧子５０，７０内に発熱体５８，６８を配置した。【選択図】  図１
2006198310.tif 000002
【特許請求の範囲】
【請求項１】
円運動する指圧子を備えたマッサージ機において、
モータにより回転駆動される歯車をケースに支持軸を介して回転可能に支持すると共に、前記歯車に偏芯カムを一体的に形成し、かつ、前記ケースに移動台を前記支持軸と直交方向に摺動可能に支持し、前記移動台と前記偏芯カムとを係合させ、前記移動台に前記指圧子を設けたことを特徴とするマッサージ機。
【請求項２】
前記指圧子は前記移動台に前記支持軸と平行方向に摺動可能に支持されると共に、前記指圧子を突出方向に付勢する付勢部材を備えたことを特徴とする請求項１に記載のマッサージ機。
【請求項３】
前記移動台は、前記ケースを挟んで摺動可能に支持された上下移動台を有することを特徴とする請求項１又は請求項２に記載のマッサージ機。
【請求項４】
前記指圧子内に発熱体を配置したことを特徴とする請求項１ないし請求項３に記載のマッサージ機。
【請求項５】
前記指圧子、前記歯車、前記移動台をそれぞれ左右対称に一対有すると共に、一対の前記移動台に装着した規制軸により、一対の前記移動台の回転を規制したことを特徴とする請求項１ないし請求項４に記載のマッサージ機。
【請求項６】
一対の前記指圧子の間隔を調整可能な調整機構を備えたことを特徴とする請求項５に記載のマッサージ機。
【発明の詳細な説明】
【技術分野】
【０００１】
本発明は、円運動する指圧子を備えたマッサージ機に関する。
【背景技術】
【０００２】
従来より、特許文献１にあるように、ケースに一対のベアリングを介して被駆動軸が回転可能に支持され、両ベアリングの間の被駆動軸には歯車が装着されて、モータにより回転駆動されるように構成されたマッサージ機が知られている。また、このマッサージ機では、被駆動軸の先端はケースの外部に突出されると共に、「く」字状に屈曲されて、その先端に揉み玉が嵌着され、被駆動軸の回転により揉み玉が円運動するようにしている。
【特許文献１】特開平７−３２８０８８
【発明の開示】
【発明が解決しようとする課題】
【０００３】
しかしながら、こうした従来のものでは、被駆動軸が「く」字状に屈曲しているので、ケース底面から揉み玉の先端までの高さが高く、マッサージ機が大型化するという問題があった。例えば、マッサージ機を椅子の背もたれに立てかけて、背中にマッサージを受けようとすると、マッサージ機の高さが高いために、椅子の座面の面積が小さくなり、椅子に腰掛け難く、マッサージを受け難い場合があるという問題があった。また、床にマッサージ機を置いて、マッサージ機に背中を当てるようにして、仰向けに横たわると、揉み玉の位置が床から高い位置にあり、身体が弓なりに大きく反ってしまい、この場合も、マッサージを受け難い場合があるという問題があった。
【０００４】
本発明の課題は、高さが低く、使用しやすいマッサージ機を提供することにある。
【課題を解決するための手段】
【０００５】
かかる課題を達成すべく、本発明は課題を解決するため次の手段を取った。即ち、
円運動する指圧子を備えたマッサージ機において、
モータにより回転駆動される歯車をケースに支持軸を介して回転可能に支持すると共に、前記歯車に偏芯カムを一体的に形成し、かつ、前記ケースに移動台を前記支持軸と直交方向に摺動可能に支持し、前記移動台と前記偏芯カムとを係合させ、前記移動台に前記指圧子を設けたことを特徴とするマッサージ機がそれである。
【０００６】
前記指圧子は前記移動台に前記支持軸と平行方向に摺動可能に支持されると共に、前記指圧子を突出方向に付勢する付勢部材を備えた構成としてもよい。また、前記移動台は、前記ケースを挟んで摺動可能に支持された上下移動台を有する構成としてもよい。あるいは、前記指圧子内に発熱体を配置した構成としてもよい。更に、前記指圧子、前記歯車、前記移動台をそれぞれ左右対称に一対有すると共に、一対の前記移動台に装着した規制軸により、一対の前記移動台の回転を規制した構成としてもよい。また、一対の前記指圧子の間隔を調整可能な調整機構を備えた構成としてもよい。
【発明の効果】
【０００７】
本発明のマッサージ機は、歯車に偏芯カムを一体に形成し、移動台をケースに摺動可能に支持し、移動台を偏芯カムに係合させ、移動台に指圧子を設けたので、扁平な形状に形成でき、高さが低く、使用しやすいという効果を奏する。
【発明を実施するための最良の形態】
【０００８】
以下本発明を実施するための最良の形態を図面に基づいて詳細に説明する。
図１に示すように、１はケースで、ケース１は下ケース２と上ケース４とを備え、上下ケース２，４を重ね合わせて、内部が中空状に形成されている。ケース１内には、一対の支持軸６，８の両端が上下ケース２，４に装着された状態で、上下ケース２，４に挟まれて支持されている。
【０００９】
支持軸６，８にはそれぞれ歯車１０，１２が回転可能に支持されている。両歯車１０，１２は歯数が同一で、互いに噛合されると共に、歯車１０，１２には偏芯カム１４，１６が一体的に形成されている。本実施形態では、偏芯カム１４，１６は、円柱状のカムで、支持軸６，８の中心に対して、偏芯して設けられており、両偏芯カム１４，１６は互いに逆方向に偏芯されて、左右対称となるように設けられている。尚、偏芯カム１４，１６は、円柱状に限らず、溝カム等でもよい。また、支持軸６，８と歯車１０，１２とを一体に形成してもよい。
【００１０】
ケース１内には、モータ１８が収納されており、モータ１８の回転を一方の歯車１０に伝達する歯車機構２０が、図２に示すように、ケース１内に設けられている。本実施形態では、歯車機構２０は、ウォームホイール歯車と複数の平歯車とを備えた多段で減速する機構である。
【００１１】
図１に示すように、上ケース４の上側には平坦部４ａが設けられており、平坦部４ａには、一対の移動台２２，２４が摺動可能に配置されている。一対の移動台２２，２４はそれぞれ上下移動台２２ａ，２２ｂ，２４ａ，２４ｂを備え、上移動台２２ａ，２４ａは上ケース４の平坦部４ａの表側に設けられ、下移動台２２ｂ，２４ｂは上ケース４の平坦部４ａの裏側に設けられている。
【００１２】
図３に示すように、上下移動台２２ａ，２２ｂは上ケース４の平坦部４ａを挟むように配置されると共に、平坦部４ａに形成された４個の貫通孔２６（一部のみ図示する）に貫入された連結部２８により、上下移動台２２ａ，２２ｂが連結されている。また、上下移動台２２ａ，２２ｂと平坦部４ａとの間には、図示しない薄いシートが設けられて、上下移動台２２ａ，２２ｂが平坦部４ａに沿って滑らかに摺動できるように構成されている。
【００１３】
下移動台２２ｂには、支持軸６の軸方向と平行な円筒部３０が形成されており、円筒部３０の内周には偏芯カム１４が挿入されて、下移動台２２ｂと偏芯カム１４とが係合されている。下移動台２２ｂには、図２に示すように、２本の規制棒３１ａ，３１ｂが固定されており、規制棒３１ａ，３１ｂは他方の下移動台２４ｂに向けて突き出されている。規制棒３１ａ，３１ｂは、他方の下移動台２４ｂに摺動可能に挿入されており、規制棒３１ａ，３１ｂの先端は、連結部材３３に固定されている。
【００１４】
上移動台２２ａ上には、調整台３２が載置されており、調整台３２は、図３及び図４に示すように、その両側が上移動台２２ａに形成された溝３４（一方のみ図示する）に挿入されて、調整台３２が上移動台２２ａ上を摺動できるように構成されている。また、調整台３２には、溝３４と直交方向に移動可能な係止爪３６が移動可能に装着されている。係止爪３６はばね３８により調整台３２から突出する方向に付勢されており、係止爪３６の先端は溝３４に沿って形成された複数の貫通孔４０のいずれかに挿入できるように構成されている。本実施形態では、調整台３２、係止爪３６、ばね３８、貫通孔４０により調整機構４２が形成されている。
【００１５】
調整台３２には、筒部４４が立設されており、筒部４４には摺動軸４６が摺動可能に挿入されると共に、摺動軸４６の下端に螺着されたビス４８により抜け止めが図られている。摺動軸４６の上端には、指圧子５０が固定されており、指圧子５０は摺動軸４６に固定されたベース部材５２とベース部材５２に被着されたキャップ部材５４とを備えている。
【００１６】
ベース部材５２と調整台３２との間には、コイルばねを用いた付勢部材５６が介装されて、指圧子５０を突出方向に付勢している。また、キャップ部材５４の内側で、ベース部材５２とキャップ部材５４との間にはＰＴＣサーミスタを用いた発熱体５８が介装されている。尚、調整台３２には、ベース部材５２の外周を取り囲むように、円筒状の保護部材６０が立設されている。
【００１７】
他方の移動台２４についても、前述した移動台２２と同様の構成であり、下移動台２４ｂには偏芯カム１６に係合される円筒部６２が設けられている。上移動台２４ａについても同様に、調整台６４、摺動軸６６、内部に発熱体６８が設けられた指圧子７０、付勢部材７２が設けられている。これら、一対の歯車１０，１２、移動台２２，２４、指圧子５０，７０等は、左右対称となるように配置されている。
【００１８】
次に、前述したマッサージ機の作動について説明する。
まず、モータ１８が回転駆動されると、歯車機構２０を介して一方の歯車１０が回転され、これに伴って、他方の歯車１２は逆方向に回転される。両歯車１０，１２の回転により、両偏芯カム１４，１６も支持軸６，８の廻りに回転し、偏芯カム１４，１６と係合している円筒部３０，６２を介して両下移動台２２ｂ，２４ｂが円運動をする。
【００１９】
その際、規制棒３１ａ，３１ｂにより、両下移動台２２ｂ，２４ｂの回転は規制される。即ち、両下移動台２２ｂ，２４ｂの円運動に伴って、他方の下移動台２４ｂは、規制棒３１ａ，３１ｂに沿って摺動するが、両下移動台２２ｂ，２４ｂの回転は規制される。
【００２０】
両下移動台２２ｂ，２４ｂの円運動と共に、両調整台３２，６４、摺動軸４６，６６、指圧子５０，７０も円運動をする。マッサージ機を椅子の背もたれに立てかけて、あるいは、床の上に置いて、指圧子５０，７０を背中の患部に当てることにより、快適なマッサージを受けることができる。
【００２１】
両指圧子５０，７０は、逆方向に円運動すると共に、指圧子５０，７０に作用する押圧力に応じて、付勢部材５６，７２が弾性変形し、摺動軸４６，６６が筒部４４内を摺動して、指圧子５０，７０が患部に接触した状態で下降する。押圧力が弱くなると、付勢部材５６，７２の弾性力により、指圧子５０，７０が患部に接触した状態で上昇する。
【００２２】
従って、指圧子５０，７０は、円運動すると共に上下動し、３次元運動を行なうので、複雑な動きとなり、単純な運動のマッサージに対する馴れを招くことなく、快適なマッサージを受けることができる。
【００２３】
また、マッサージ機は、歯車１０，１２に偏芯カム１４，１６を一体に形成し、移動台２２，２４を上ケース４の平坦部４ａに摺動可能に支持し、移動台２２，２４を偏芯カム１４，１６に係合させ、移動台２２，２４に指圧子５０，７０を設けたので、扁平な形状に形成でき、ケース１の底面から、指圧子５０，７０の先端までの高さが低く、マッサージ機を椅子の背もたれに立てかけて使用しても、椅子に深く腰掛けて快適なマッサージを受けることができ、また、マッサージ機を床面に置いて使用しても、身体が大きく弓なりに反ることがなく、快適なマッサージを受けることができる。
【００２４】
調整機構４２を備えているので、係止爪３６を摺動させて、貫通孔４０から先端を引き抜き、調整台３２，６４を溝３４に沿って移動して、再び係止爪３６の先端を貫通孔４０に挿入することにより、両指圧子５０，７０の間隔を調整できる。従って、使用者の患部に適した間隔に調整でき、快適なマッサージを受けることができる。
【００２５】
以上本発明はこの様な実施形態に何等限定されるものではなく、本発明の要旨を逸脱しない範囲において種々なる態様で実施し得る。
【図面の簡単な説明】
【００２６】
【図１】本発明の一実施形態としてのマッサージ機の断面図である。
【図２】図１のＡＡ断面図である。
【図３】本実施形態のマッサージ機のケースを二点鎖線で示した要部拡大断面図である。
【図４】図３のＢＢ断面図である。
【図５】図３のＣＣ断面図である。
【符号の説明】
【００２７】
１…ケース            ２…下ケース
４…上ケース          ４ａ…平坦部
６，８…支持軸        １０，１２…歯車
１４，１６…偏芯カム  ２２，２４…移動台
２２ａ，２４ａ…上移動台
２２ｂ，２４ｂ…下移動台
３１ａ，３１ｂ…規制棒
３２，６４…調整台    ３６…係止爪
４２…調整機構        ４６，６６…摺動軸
５０，７０…指圧子    ５６，７２…付勢部材
５８，６８…発熱体
【図１】
2006198310.tif 000003
【図２】
2006198310.tif 000004
【図３】
2006198310.tif 000005
【図４】
2006198310.tif 000006
【図５】
2006198310.tif 000007